(57)【要約】【課題】  ディスクの回転で発生する風で効率よく冷却することができ、低コストで冷却効果を上げることができる光ディスク装置を提供する。【解決手段】  ディスクトレイと光ピックアップとディスク１を保持するためのターンテーブル２とクランパ３及びクランパープレート４と、ディスクトレイの下側に配置された基板とこの基板５の下側に水平向きに配置された放熱板６とを有する光ディスク装置において、基板５の下面から側部を経てクランパープレート４まで包括する略コ字形の熱吸い上げ用板材７が側面側に配置されており、基板５から放熱板６に伝熱した熱を熱吸い上げ用板材７でクランパープレート４まで伝熱させ、ディスク１の回転により発生した風によって、この熱が冷却されるようにしたことを特徴としている。【選択図】  図１
2005327355.tif 000002
【特許請求の範囲】
【請求項１】
ディスクトレイと光ピックアップとディスクを保持するためのターンテーブルとクランパ及びクランパープレートと、前記ディスクトレイの下側に配置された基板とこの基板の下側に水平向きに配置された放熱板とを有する光ディスク装置において、前記基板の下面から側部を経て前記クランパープレートまで包括する略コ字形の熱吸い上げ用板材が側面側に配置されており、前記基板から前記放熱板に伝熱した熱を前記熱吸い上げ用板材で前記クランパープレートまで伝熱させ、前記ディスクの回転により発生した風によって、この熱が冷却されるようにしたことを特徴とする光ディスク装置。
【請求項２】
ディスクトレイと光ピックアップとディスクを保持するためのターンテーブルとクランパ及びクランパープレートと、前記ディスクトレイの下側に配置された基板とこの基板の下側に水平向きに配置された放熱板とを有する光ディスク装置において、前記基板から前記放熱板に伝熱した熱が前記クランパープレートに向けて伝熱部材を経て伝熱されるように構成され、前記クランパープレート側で前記ディスクの回転により発生した風によって、この熱が冷却されるようにしたことを特徴とする光ディスク装置。
【請求項３】
前記伝熱部材が略コ字形に形成されており、この略コ字形の電熱部材が両側に配設されていて、前記基板から放熱板に伝熱された熱が両側の略コ字形の伝熱部材で上側に伝熱されて、前記ディスクの回転により発生した風によって、この熱が冷却されるようにした請求項１に記載の光ディスク装置。
【請求項４】
前記基板の下面には複数の発熱部品が取り付けられていて、前記放熱板はこれらの発熱部品に当接しており、これら複数の発熱部品から放熱板に伝熱された熱が前記伝熱部材を経て上側に伝熱され、上側位置で前記ディスクの回転により発生した風によって、この熱が冷却されるようにした請求項２又は３に記載の光ディスク装置。
【請求項５】
前記伝熱部材と前記放熱板と前記クランパープレートとが一体化されている請求項２乃至４のいずれかに記載の光ディスク装置。
【発明の詳細な説明】
【技術分野】
【０００１】
本発明は、ディスクトレイと光ピックアップとディスクを保持するためのターンテーブルとクランパ及びクランパープレートと、前記ディスクトレイの下側に配置された基板とこの基板の下側に水平向きに配置された放熱板とを有する光ディスク装置に関するものである。
【背景技術】
【０００２】
従来、光ディスク装置の主に下側の基板から発生する発熱を放熱するには、放熱板を大きくして冷却効果を上げることが考えられるが、これでは、放熱板が大きくなり狭いスペースでは実施できないという問題があった。また、ファンを取り付けることで冷却することもあったが、ファンによるコスト高や騒音が増えてしまうという問題があった。
【０００３】
第１の従来技術を図５に示す。この図５に示す光ディスク装置は、低板部材１０８に、ディスクトレイ１０３がローディング機構によって装置本体内を移動するときに、外装部材である下ケース１０１の内面に対して摺動する突起部１１７を一体に形成する。突起部１１７の存在により、ユニット体の下面を覆う低板部材１０８が突起部１１７を介して下ケース１０１に接地されるため、アース経路を確実に取ることができ、ユニット体から発生する輻射ノイズの外部への漏れを底減させることができる。さらに突起部１１７によってユニット体の発熱を底板部材１０８から下ケース１０１へ確実に伝達することができるため、装置本体内の熱を外部へ放出することができて、装置本体内の温度上昇を抑制する効果もある。（例えば、特許文献１参照）。
【０００４】
ところが、これは、ディスクトレイ上で回転するディスクによる風が当たらないものであり、風で冷却するものではなかった。
【特許文献１】特開２００２−５６６４６号公報
【発明の開示】
【発明が解決しようとする課題】
【０００５】
本発明は、上記従来の問題に鑑みてなされたものであって、ディスクの回転で発生する風で効率よく冷却することができ、低コストで冷却効果を上げることができる光ディスク装置を提供することを目的としている。
【課題を解決するための手段】
【０００６】
本発明は、上記課題を解決するために提案されたものであって、請求項１に記載の発明は、ディスクトレイと光ピックアップとディスクを保持するためのターンテーブルとクランパ及びクランパープレートと、前記ディスクトレイの下側に配置された基板とこの基板の下側に水平向きに配置された放熱板とを有する光ディスク装置において、前記基板の下面から側部を経て前記クランパープレートまで包括する略コ字形の熱吸い上げ用板材が側面側に配置されており、前記基板から前記放熱板に伝熱した熱を前記熱吸い上げ用板材で前記クランパープレートまで伝熱させ、前記ディスクの回転により発生した風によって、この熱が冷却されるようにしたことを特徴としている。
【０００７】
請求項２に記載の発明は、ディスクトレイと光ピックアップとディスクを保持するためのターンテーブルとクランパ及びクランパープレートと、前記ディスクトレイの下側に配置された基板とこの基板の下側に水平向きに配置された放熱板とを有する光ディスク装置において、前記基板から前記放熱板に伝熱した熱が前記クランパープレートに向けて伝熱部材を経て伝熱されるように構成され、前記クランパープレート側で前記ディスクの回転により発生した風によって、この熱が冷却されるようにしたことを特徴としている。
【０００８】
請求項３に記載の発明は、前記伝熱部材が略コ字形に形成されており、この略コ字形の電熱部材が両側に配設されていて、前記基板から放熱板に伝熱された熱が両側の略コ字形の伝熱部材で上側に伝熱されて、前記ディスクの回転により発生した風によって、この熱が冷却されるようにした。
【０００９】
請求項４に記載の発明は、前記基板の下面には複数の発熱部品が取り付けられていて、前記放熱板はこれらの発熱部品に当接しており、これら複数の発熱部品から放熱板に伝熱された熱が前記伝熱部材を経て上側に伝熱され、上側位置で前記ディスクの回転により発生した風によって、この熱が冷却されるようにした。
【００１０】
請求項５に記載の発明は、前記伝熱部材と前記放熱板と前記クランパープレートとが一体化されている。
【発明の効果】
【００１１】
請求項１に記載の発明によれば、下側の基板からの発熱が放熱板に伝熱されて更にこの放熱板から略コ字形の熱吸い上げ用板材に伝熱されて上側に向けて伝熱され、上側でクランパープレートに伝熱されたときに、ディスクの回転によって生じる風で冷却される。このことにより、ディスクの回転で発生する風で効率よく冷却することができ、低コストで冷却効果を上げることができる。特に、放熱板、クランパープレート、熱吸い上げ用板材の材質を熱伝導率の良いものにすることにより、更に高い冷却効果を得ることができる。
【００１２】
請求項２に記載の発明によれば、下側の基板からの発熱が放熱板に伝熱されて更に伝熱部材で上側のクランパープレートに伝熱されたときに、ディスクの回転によって生じる風で冷却される。このことにより、ディスクの回転で発生する風で効率よく冷却することができ、低コストで冷却効果を上げることができる。
【００１３】
請求項３に記載の発明によれば、略コ字形の伝熱部材が両側に配設されているので、これらの伝熱部材で、基板から放熱板に伝熱された熱が効率よく上側のクランパープレートに伝熱されて、ディスクの回転による風で冷却することができる。
【００１４】
請求項４に記載の発明によれば、基板の下面の複数の発熱部品からの熱が放熱板から伝熱部材に伝熱されて、上側でクランパープレートに伝熱され、ここでディスクの回転による風で熱を冷却することができる。
【００１５】
請求項５に記載の発明によれば、伝熱部材と放熱板とクランパープレートが一体化されているので、基板や発熱部品からの熱を効率よく伝熱することができ、クランパープレート部分で、ディスクの回転による風で冷却することができる。
【発明を実施するための最良の形態】
【００１６】
以下、本発明に係る光ディスク装置の実施の形態について、図を参照しつつ説明する。
【００１７】
図１は本発明の光ディスク装置の第１実施形態を示す概略正面図である。
【００１８】
この第１実施形態の光ディスク装置は、図１に示すように、ディスクトレイ（図示略）と光ピックアップ（図示略）とディスク１を保持するためのターンテーブル２とクランパ３及びクランパープレート４と、ディスクトレイの下側に配置された基板５とこの基板５の下側に水平向きに配置された放熱板６とを有している。基板５の下面から側部を経てクランパープレート４まで包括する略コ字形の熱吸い上げ用板材７（以下、伝熱部材７という。）が側面側に配置されている。基板５から放熱板６に伝熱した熱を伝熱部材７でクランパープレート４まで伝熱させ、ディスク１の回転により発生した風によって、この熱が冷却されるようにしている。
【００１９】
したがって、この第１実施形態によれば、下側の基板５からの発熱が放熱板６に伝熱されて更にこの放熱板６から略コ字形の伝熱部材７に伝熱されて上側に向けて伝熱され、上側でクランパープレート４に伝熱されたときに、ディスク１の回転によって生じる風で冷却される。このことにより、ディスク１の回転で発生する風で効率よく冷却することができ、低コストで冷却効果を上げることができる。特に、放熱板６、クランパープレート４、伝熱部材７の材質を熱伝導率の良いものにすることにより、更に高い冷却効果を得ることができる。
【００２０】
図２は第２実施形態の光ディスク装置を示す概略正面図である。
【００２１】
この第２実施形態の光ディスク装置は、図２に示すように、略コ字形の電熱部材７が両側に配設されていて、基板５から放熱板６に伝熱された熱が両側の略コ字形の伝熱部材７で上側に伝熱されて、ディスク１の回転により発生した風によって、この熱が冷却されるようにしている。
【００２２】
したがって、この第２実施形態によれば、略コ字形の伝熱部材７が両側に配設されているので、これらの伝熱部材７、７で、基板５から放熱板６に伝熱された熱が効率よく上側のクランパープレート４に伝熱されて、ディスク１の回転による風で冷却することができる。
【００２３】
図３は第３実施形態の光ディスク装置を示す概略正面図である。
【００２４】
この第３実施形態の光ディスク装置は、図３に示すように、基板５の下面には複数の発熱部品８が取り付けられていて、放熱板６はこれらの発熱部品８に当接しており、これら複数の発熱部品８から放熱板６に伝熱された熱が伝熱部材７を経て上側に伝熱され、上側位置でディスク１の回転により発生した風によって、この熱が冷却されるようにしている。
【００２５】
したがって、この第３実施形態によれば、基板５の下面の複数の発熱部品８からの熱が放熱板６から伝熱部材７に伝熱されて、上側でクランパープレート４に伝熱され、ここでディスク１の回転による風で熱を冷却することができる。
【００２６】
図４は第４実施形態の光ディスク装置を示す概略正面図である。
【００２７】
この第４実施形態の光ディスク装置は、図４に示すように、伝熱部材７と放熱板６とクランパープレート４が一体化されている。
【００２８】
したがって、この第４実施形態によれば、伝熱部材７と放熱板６とクランパープレート４が一体化されているので、基板５や発熱部品（図示略）からの熱を効率よく伝熱することができ、クランパープレート４部分で、ディスク１の回転による風で冷却することができる。尚、本発明における伝熱部材７は、上記各実施形態の形状に限定されす、適宜な形状の伝熱部材を用いてもよいことは勿論である。
【図面の簡単な説明】
【００２９】
【図１】本発明の光ディスク装置の第１実施形態を示す概略正面図である。
【図２】第２実施形態の光ディスク装置を示す概略正面図である。
【図３】第３実施形態の光ディスク装置を示す概略正面図である。
【図４】第４実施形態の光ディスク装置を示す概略正面図である。
【図５】従来の光ディスク装置を示す縦断面図である。
【符号の説明】
【００３０】
１        ディスク
２        ターンテーブル
３        クランパ
４        クランパープレート
５        基板
６        放熱板
７        熱吸い上げ用板材（伝熱部材７）
８        発熱部品
【図１】
2005327355.tif 000003
【図２】
2005327355.tif 000004
【図３】
2005327355.tif 000005
【図４】
2005327355.tif 000006
【図５】
2005327355.tif 000007